(57)【要約】      （修正有）【課題】園芸施設や工場等において、外気を加温して室内に加温空気を送風するための熱交換器に効率的に熱エネルギーを供給する循環配管系を備えた暖房設備を提供する。【解決手段】外気を加温して室内に加温空気を送風するための熱交換器１と、該熱交換器１に高温循環水を供給して低温循環水を排出するように循環させる循環配管系２と、該循環配管系２に設けた熱交換器１からの低温循環水を一時的に貯留させるサージタンク３と、該サージタンク３の低温循環水を循環配管系２に循環させるために介装した循環ポンプ４と、該循環ポンプ４で循環される低温循環水を高温循環水に加熱する高周波加熱炉５を循環配管系２に配設したものであり、更に、循環配管系２を循環する低温循環水は７５℃以上であり、高温循環水は９５℃以下であり、更には、高周波加熱炉の発信周波数は３０〜５０ＫＨｚである。【選択図】図１
0003174439.tif 000002
【実用新案登録請求の範囲】
【請求項１】
外気を加温して室内に加温空気を送風するための熱交換器と、該熱交換器に高温循環水を供給して低温循環水を排出するように循環させる循環配管系と、該循環配管系に設けた熱交換器からの低温循環水を一時的に貯留させるサージタンクと、該サージタンクの低温循環水を循環配管系に循環させるために介装した循環ポンプと、該循環ポンプで循環される低温循環水を高温循環水に加熱する高周波加熱炉を前記循環配管系に配設したことを特徴とする暖房設備。
【請求項２】
前記循環配管系を循環する低温循環水は７５℃以上であり、高温循環水は９５℃以下であることを特徴とする請求項１に記載の暖房装置。
【請求項３】
前記高周波加熱炉の発信周波数は３０〜５０ＫＨｚであることを特徴とする請求項１又は請求項２に記載の暖房装置。
【考案の詳細な説明】
【技術分野】
【０００１】
本考案は暖房設備に関するものであり、更に、詳細には、園芸施設や工場等において、外気を加温して室内に加温空気を送風するための熱交換器に効率的に熱エネルギーを供給する循環配管系を備えた暖房設備に関するものである。
【背景技術】
【０００２】
従来から、この種の循環配管系を備えた暖房設備は開発され夫々の暖房設備として役に立っているが、特に、大震災以後に省エネルギーに対する要望が増している。
【０００３】
例えば、先に開示されている、温水パイプ５から帰還した温水の水温を検出して目標の一定温度に保持するよう加温して温水パイプ４に送出する温水ボイラ２が温室３外に設けられる。温室３内に設けられる熱交換器６、７は、放熱配管６１とこれに温室内空気を吹き当てるファン６３とを有している。温室３内にはさらに、温室内の温度を検出する温度検出器１０が設置され、制御装置８は温度検出器１０の検出温度が目標値より下回る場合、あるいは上回る場合には、前記各熱交換器のファン６３をオン或いはオフする。温水パイプ４、５は、温水ボイラ２と熱交換器６、７との間を温水が循環するように接続されているもの（特許文献１参照）や、 容器１の外下部に磁性材からなる熱交換器３を配し、熱交換器上部３ａと容器上部１ａを上部管体４で、熱交換器下部３ｂと容器下部１ｂを下部管体５でそれぞれ接続し、かつ下部管体５途中に電動開閉弁６を配し、容器１の中位置部８を電動開閉弁６と熱交換器３の間に中部管体７で接続する。加熱手段１０として高周波電磁誘導コイルを設け、熱交換器３自体を発熱させ高温の湯２を得る。また、容器１内上部に水々熱交換器４１を設け、これを循環ポンプ４３を介して浴槽４０に接続した構成のもの（特許文献２参照）や、等が開示されている。
【特許文献１】特開２０１０−２９１５３号公報
【特許文献２】特開平５−２９６５６６号公報
【考案の開示】
【考案が解決しようとする課題】
【０００４】
然し乍ら、前述の開示されている特許文献１に記載のものは、同じ目的の施設園芸用に適応される暖房装置であるが、その加熱は温水ボイラで行われており、特に、省エネルギーに関する対策は取られていないものであり、更に、特許文献２に記載のものは、浴槽や台所、洗面所等にお湯を提供する温水器であるが、お湯を高周波電磁誘導コイルの加熱手段で加熱を行っているが、実際に使用するお湯以外のお湯を他の容器に貯水して加熱して水水熱交換器を用いて使用するお湯を加熱しており、安価な深夜電力を用いることも可能であるが、実際に使用しないお湯を大量に加熱しなければ成らずエネルギー効率が良いとは言えないものである。
【課題を解決するための手段】
【０００５】
本考案は前記課題に鑑み、鋭意研鑽の結果、これらの課題を解決するもので、外気を加温して室内に加温空気を送風するための熱交換器と、熱交換器に高温循環水を供給して低温循環水を排出するように循環させる循環配管系と、循環配管系に設けた熱交換器からの低温循環水を一時的に貯留させるサージタンクと、サージタンクの低温循環水を循環配管系に循環させるために介装した循環ポンプと、循環ポンプで循環される低温循環水を高温循環水に加熱する高周波加熱炉を循環配管系に配設したものであり、更に、循環配管系を循環する低温循環水は７５℃以上であり、高温循環水は９５℃以下であり、更には、高周波加熱炉の発信周波数は３０〜５０ＫＨｚである。
【考案の効果】
【０００６】
本考案の暖房設備は、熱交換器と、サージタンクと、循環ポンプと、高周波加熱炉とを循環配管系に配設し、高周波加熱炉で低温循環水を加熱して高温循環水にして循環ポンプにより熱交換器に送り、外気との熱交換をして室内に加温空気を送風するものであるが、一旦暖まった低温循環水（７５℃以上）を加熱して高温循環水（９５℃以下）に、高周波加熱炉で加熱するための従来の電熱ヒーター等に比べて電気エネルギーは大幅に少なくて済み、また、重油や灯油等の化石燃料を用いて加熱する従来設備では、化石燃料の運び込みや収納設備を必要としており、冬期の積雪地方では多大な労力や施設を必要としているが、当該暖房設備は電気的に夫々を接続するだけで良く、画期的で実用性の高い有効な考案である。
【考案を実施するための最良の形態】
【０００７】
以下、本考案の暖房設備の実施の形態を図面によって具体的に説明すると、図１は本考案の暖房設備の実施例のフローシートである。
【０００８】
本考案は暖房設備に関するものであり、更に、詳細には、園芸施設や工場等において、外気を加温して室内に加温空気を送風するための熱交換器に効率的に熱エネルギーを供給する循環配管系を備えた暖房設備に関するものであり、請求項１に記載の暖房設備は、外気を加温して室内に加温空気を送風するための熱交換器１と、該熱交換器１に高温循環水を供給して低温循環水を排出するように循環させる循環配管系２と、該循環配管系２に設けた熱交換器１からの低温循環水を一時的に貯留させるサージタンク３と、該サージタンク３の低温循環水を循環配管系２に循環させるために介装した循環ポンプ４と、該循環ポンプ４で循環される低温循環水を高温循環水に加熱する高周波加熱炉５を前記循環配管系２に配設したことを特徴とするものである。
【０００９】
更に、請求項２に記載の暖房設備は、請求項１に記載の暖房設備において、前記循環配管系２を循環する低温循環水は７５℃以上であり、高温循環水は９５℃以下であることを特徴とするものである。
【００１０】
更には、請求項３に記載の暖房設備は、請求項１又は請求項２に記載の暖房設備において、前記高周波加熱炉５の発信周波数は３０〜５０ＫＨｚであることを特徴とするものである。
【実施例】
【００１１】
即ち、本考案の暖房設備は、図１のフローシートに図示のように、循環配管系２に後述する熱交換器１と、サージタンク３と、循環ポンプ４と、高周波加熱炉５とを配設したものである。
【００１２】
そして、熱交換器１は、汎用されているもので構わなく、外気Ａ、例えば、１０℃を３０℃に加温して室内に加温空気Ｂを送風するもので、加温空気Ｂをファン１ａにより室内に送風することにより、外気Ａを熱交換により加熱して積極的に取り込むものである。
【００１３】
次に、循環配管系２は、熱交換器１に高温循環水を供給して低温循環水を排出するように循環させるための配管であり、循環配管系２には後述するサージタンク３と、循環ポンプ４と、高周波加熱炉５とを配設するものである。
【００１４】
次いで、サージタンク３は、循環配管系２に設けているもので、熱交換器１で熱交換を終えた低温循環水を一時的に貯留させるものであり、また、循環前の初期状態において、循環させるための冷水をサージタンク３内に貯留して電熱ヒーターを配設して循環状態の温度まで加熱することも可能なものである。
【００１５】
更に、循環ポンプ４は、サージタンク３の低温循環水を循環配管系２に循環させるために介装しているもので、後述する高周波加熱炉５、及び、熱交換器１、サージタンク３を循環させるものである。
【００１６】
更には、高周波加熱炉５は、循環ポンプ４で循環される低温循環水を高温循環水に加熱するものであり、その発信周波数は３０〜５０ＫＨｚが好適なものである。
【００１７】
加えて、循環配管系２を循環する低温循環水は７５℃以上であり、高温循環水は９５℃以下であり、実施例では、０℃の外気を加温して３０℃の加温空気を室内に送風するように設定し、循環ポンプ４を駆動させ循環配管系２を循環させる低温循環水は略８０℃であり、高周波加熱炉５で加熱した後の高温循環水は略９０℃程度のものが好適なものである。
【産業上の利用可能性】
【００１８】
本考案は、熱交換器と、サージタンクと、循環ポンプと、高周波加熱炉とを循環配管系に配設し、高周波加熱炉で低温循環水を加熱して高温循環水にして循環ポンプにより熱交換器に送り、外気との熱交換をして室内に加温空気を送風するものであるが、一旦暖まった低温循環水（７５℃以上）を加熱して高温循環水（９５℃以下）に、高周波加熱炉で加熱するための従来の電熱ヒーター等に比べて電気エネルギーは大幅に少なくて済み、また、重油や灯油等の化石燃料を用いて加熱する従来設備では、化石燃料の運び込みや収納設備を必要としており、冬期の積雪地方では多大な労力や施設を必要としているが、当該暖房設備は電気的に夫々を接続するだけで良い暖房設備を提供するものである。
【図面の簡単な説明】
【００１９】
【図１】図１は本考案の暖房設備の実施例のフローシート図である。
【符号の説明】
【００２０】
Ａ      外気
Ｂ      加温空気
１      熱交換器
１ａ    ファン
２      循環配管系
３      サージタンク
４      循環ポンプ
５      高周波加熱炉
【図１】
0003174439.tif 000003